(57)【特許請求の範囲】
【請求項１】
箱状のケース本体１の内部に、磁気テープ３を巻装した１個のリール２が配置されており、
リール２の中央に設けたボス１２の内底と、ケース本体１の上壁との間に、不使用時のリール２の遊動回転を阻止するリールロック機構が設けてある磁気テープカートリッジであって、
リールロック機構は、ケース本体１の上壁の内面に突設したガイド突起１５で上下スライド可能に、しかし相対回転は不能に係合案内してあるリール押え１６と、リール押え１６を押し下げ付勢するばね１７と、リール押え１６とボス１２の底壁との間に配置したロック解除具１８とを備えており、
リール押え１６の下面とボス１２の底壁上面とのそれぞれに、互いに接当係合してリール２の回動を阻止するロック歯１９・２０が設けられており、
ロック解除具１８は、ボス１２の底壁上面で受け止められる主面壁２５と、主面壁２５の上面に突設されて、リール押え１６を押し上げ操作する突起２８と、主面壁２５の下面下方に突設される複数個の脚片２７とを備えており、
各脚片２７が、ボス１２の底壁に通設した開口３０を介してリール２の下面にそれぞれ突出している単リール型の磁気テープカートリッジ。
【請求項２】
ボス１２の底壁下面に、テープドライブの駆動軸Ｄの回転動力を受け継ぐ駆動歯１４が周回状に設けられており、
この駆動歯１４の形成領域の複数個所に、少なくとも駆動歯１４の歯底平面に達する欠歯部３１が形成されており、
欠歯部３１に設けた開口３０を介して、各脚片２７がリール２の下面側へ突出している請求項１記載の単リール型の磁気テープカートリッジ。
【請求項３】
ロック解除具１８が、主面壁２５と、主面壁２５の中央上面に突設した突起２８と、主面壁２５の周縁２６の先端から下向きに折り曲げられた脚片２７とを一体に形成した金属板製のプレス成形品である請求項１記載の単リール型の磁気テープカートリッジ。
【請求項４】
ロック解除具１８の脚片２７が、リール２の径方向外側へ外凸状に折り曲げ形成されている請求項３記載の単リール型の磁気テープカートリッジ。
【発明の詳細な説明】
【０００１】
【発明が属する技術分野】
本発明は、コンピュータ用データレコーダーの磁気記録媒体に代表される単リール型の磁気テープカートリッジに関し、そのリールロック機構を改良したものである。
【０００２】
【従来の技術】
この種の磁気テープカートリッジにおいて、図８に示す形態のリールロック機構を備えているものがある。そこでは、上フランジ５０と下フランジ５１、および下フランジ５１と一体に成形した円筒状のボス５２とでリール５３を構成しており、ボス５２の内部に配置したリール押え５４で不使用時のリール５３の遊動回転を防いでいる。ボス５２の内底壁の下面中央には、テープドライブ側の駆動軸で磁気吸着される鉄板５５を固定し、その周囲壁に駆動軸の回転力を受け継ぐ係合部５６が設けられている。係合部５６は一群の凹凸体で構成してある。
【０００３】
リール押え５４は、圧縮コイル形のばね５７の下端を受け止める円形の座板５８を有し、座板５８の中央部の上下にスライドボス５９と受動ピン６０とを有する。スライドボス５９はケース上壁に設けたガイド突起６３で上下スライドは可能に、しかし回転は不能に係合案内されている。また、座板５８の下面とボス５２の内底に突設した受座６１の上面とには、互いに凹凸係合するロック歯６２が設けてある。従ってロック歯６２どうしが接合した状態においては、リール５３は回転できない。使用時には、リール５３の中央部下面に露出する受動ピン６０をテーブドライブの駆動体で突き上げて、ロック歯６２どうしの係合を解除する。同時に鉄板５５を介してリール５３を駆動体で吸着し、その回転力を係合部５６を介してリール５３に伝えるようになっている。
【０００４】
【発明が解決しようとする課題】
上記のテープカートリッジにおいては、受動ピン６０をばね５７に抗して突き上げ、リール押え５４を受座６１から浮き離すことによって、リール５３を回転可能な状態に切り換える。同時に駆動軸で鉄板５５を磁気吸着して、係合部５６を駆動軸側の係合歯に密着接合させる。このように、リール押え５４の下面中央に設けた受動ピン６０を突き上げて、ロック歯６２どうしの接当係合状態を解除する構造では、ロック状態を確実に解除できないことがある。リール押え５４を受座６１の上方へ分離操作した状態において、リール押え５４の全体が傾いて座板５８側のロック歯６２と受座３１側のロック歯６２とが、傾斜下端側で接当係合していることがあり、こうした場合には駆動軸が空転してリール５３を確実に回転駆動できないからである。リール５３のロック解除が不十分なままだと、磁気テープに異常な張力が作用して、テープ切断などの重大事故を生じるおそれがある。ロック歯が欠損し、あるいは異常に摩耗して、リールロックを確実に行えなくなることもある。
【０００５】
本発明の目的は、リールロック機構のロック解除状態への切り換えが常に確実に行え、リールロック状態のままで磁気テープがケース外へ引き出し操作されるのを防止し、これにより磁気テープの切断あるいはテープ引出具やロック歯の破損等の重大事故の発生を解消して、信頼性の向上を期すことにある。
【０００６】
本発明の他の目的は、リールロック状態において互いに接当係合するリール押えとリールとの間に、リールロック状態を解除するためのロック解除具が設けてあって、このロック解除具をばねに抗して突き上げ操作することにより、リール押えを確実にロック解除操作できるようにした単リール型の磁気テープカートリッジを提供することにある。
【０００７】
【課題を解決するための手段】
本発明の磁気テープカートリッジは、図２に示すごとく箱状のケース本体１の内部に、磁気テープ３を巻装した１個のリール２が配置されており、リール２の中央に設けたボス１２の内底とケース本体１の上壁との間に、不使用時のリール２の遊動回転を阻止するリールロック機構が設けてある。リールロック機構は、図１および図３に示すごとくケース本体１の上壁の内面に突設したガイド突起１５で上下スライド可能に、しかし相対回転は不能に係合案内してあるリール押え１６と、リール押え１６を押し下げ付勢するばね１７と、リール押え１６とボス１２の底壁との間に配置したロック解除具１８とを備えている。リール押え１６の下面とボス１２の底壁上面とのそれぞれに、互いに接当係合してリール２の回動を阻止するロック歯１９・２０を設ける。ロック解除具１８は、ボス１２の底壁上面で受け止められる主面壁２５と、主面壁２５の上面に突設されて、リール押え１６を押し上げ操作する突起２８と、主面壁２５の下面下方に突設される複数個の脚片２７とを備えている。各脚片２７は、ボス１２の底壁に通設した開口３０を介してリール２の下面にそれぞれ突出している。
【０００８】
具体的には、図３ないし図５に示すごとくボス１２の底壁下面に、テープドライブの駆動軸Ｄの回転動力を受け継ぐ駆動歯１４を周回状に設け、この駆動歯１４の形成領域の複数個所に、少なくとも駆動歯１４の歯底平面に達する欠歯部３１を形成し、欠歯部３１に設けた開口３０を介して各脚片２７をリール２の下面側へ突出させている。
【０００９】
ロック解除具１８は、図３に示すごとく主面壁２５と、主面壁２５の中央上面に突設した突起２８と、主面壁２５の周縁２６の先端から下向きに折り曲げられた脚片２７とを一体に形成した金属板製のプレス成形品で形成する。脚片２７は、図７に示すごとくリール２の径方向外側へ外凸状に折り曲げ形成する。
【００１０】
【作用】
不使用時におけるリール２は、図１に示すごとくばね１７で押し下げ操作されるリール押え１６にロック歯１９・２０を介して接当係合しており、これで回動不能に保持されている。ロック解除具１８は、その脚片２７が開口３０を介してリール２の下面に突出している。この状態の脚片２７をテープドライブの駆動軸Ｄで押し上げ操作することにより、図６に示すごとくリール押え１６がばね１７に抗して押し上げられ、ロック歯１９・２０どうしが離脱してリールロック状態が解除される。このとき、脚片２７は複数個所に設けてあるので、押し上げ操作したロック解除具１８が径方向のいずれかへ傾くのを確実に防止でき、ロック解除具１８が押し上げられた分だけリール押え１６を確実に上方へ移動させて、ロック歯１９・２０の離脱を確実にする。
【００１１】
駆動歯１４の形成領域に設けた欠歯部３１に開口３０を設け、この開口３０から脚片２７をリール下面側へ突出させると、リール中心から径方向外側へ十分に離れた位置でロック解除具１８を突き上げ操作できるので、ロック解除時にロック解除具１８が傾くのをさらに確実に防止できる。また、駆動歯１４の歯底平面に達する欠歯部３１を設け、そこに開口３０を設けるので、開口３０を設けることによって駆動歯１４が分断されて、開口３０を形成した部分の駆動歯１４の強度が低下し、欠損しやすくなるのを避けられる。リール２を成形するための金型の構造を簡素化でき、駆動歯１４の成形も容易に行える。
【００１２】
ロック解除具１８は、３個の脚片２７を備えた金属板製のプレス成形品として形成することにより、ロック解除操作時のロック解除具１８を傾斜することなく安定した状態で押し上げ操作できる。とくに、脚片２７を駆動歯１４の形成領域に設けた欠歯部３１に突設する場合には、脚片２７の突端面が駆動軸Ｄ側の駆動歯の歯先面で突き上げ操作されるため、脚片２７が２個だけしか設けてない場合に比べて、突き上げ時のロック解除具１８の傾動を確実に防止できる。図７に示すように脚片２７を外凸状に折り曲げたロック解除具１８は、脚片２７の座屈強度や曲げ強度を増強して、脚片２７が駆動軸Ｄで押し上げ操作されるときの脚片２７のたわみ変形を防止できる。脚片２７の強度を一定とする場合には、その厚みを小さくできる。
【００１３】
【実施例】
図１ないし図６は本発明に係る単リール型の磁気テープカートリッジの実施例を示す。図２において磁気テープカートリッジは、上下ケース１ａ・１ｂを蓋合わせ状に結合してなる角箱状のケース本体１の内部に一個のリール２を収容し、リール２に磁気テープ３（以下単にテープと言う）が巻装されている。テープ３の繰り出し端には、テープ３を引き出し操作するローディングピン４が連結してある。ローディングピン４はケース本体１の前部右隅に開口したテープ引出口５の内方に収容されており、その上下両端が上ケース１ａと下ケース１ｂの内面に設けたホルダー６・６で係合保持されて位置決めされている。テープ引出口５はスライド開閉自在な蓋７で開閉できる。
【００１４】
リール２は、図１に示すごとく上フランジ１０と下フランジ１１、および下フランジ１１と一体に成形されて上向きに開口するボス１２とからなり、ボス１２の内底と、ケース本体１の上壁すなわち上ケース１ａとの間に、不使用時のリール２の遊動回転を阻止するリールロック機構が設けられている。上フランジ１０はボス１２の上端に分離不能に溶着固定してある。ボス１２の底壁下面の中央には、円形の吸着板１３を溶着固定し、吸着板１３の周囲を囲む状態で駆動歯１４を周回状に突設する（図５参照）。吸着板１３は、鉄板や鋼板等の磁気吸着可能な金属板で形成してある。駆動歯１４は放射方向へ延びる断面鋸刃形のギヤ刃の一群で形成してあり、テープドライブの駆動軸Ｄ（図６参照）の軸端面に設けた駆動歯と係合して、駆動軸Ｄの回転力を受け継ぐ。駆動歯１４は、下ケース１ｂの底壁に設けた駆動穴８を介してケース外面に露出している。
【００１５】
図１および図３においてリールロック機構は、上ケース１ａの内面に設けたガイド突起１５で上下スライドは可能に、しかし相対回転は不能に係合案内されるリール押え１６と、リール押え１６と上ケース１ａとの間に配置した圧縮コイル形のばね１７と、リール押え１６とボス１２の底壁上面との間に配置したロック解除具１８などで構成する。ボス１２の底壁上面とリール押え１６の下面には、互いに接当係合してリール２の回動を阻止するロック歯１９・２０がそれぞれ周回状に突設されている。
【００１６】
リール押え１６は、上向きに開口する丸皿状のプラスチック成形品からなり、その内側上面の中央に４個のＬ字形リブ２２を突設してあり、これらリブ２２で十文字状のスライド溝２３を画成している。このスライド溝２３に、上ケース１ａに設けた断面十文字状のガイド突起１５が係合して、リール押え１６を上下スライドのみ自在に案内する。ガイド突起１５は上下スライド時にリール押え１６が傾動するのを規制することにも役立っている。リール押え１６の底壁下面の中央には、図１に示すごとくロック解除具１８で受け止められる部分球面状の凹部２４を設け、該凹部２４の周囲に一群のロック歯２０が周回状に突設されている。ロック歯２０は放射方向へ延びる断面山形の歯体からなる。なお、ばね１７はガイド突起１５に外嵌する状態で装着されて、径方向へのずれ動きが規制されている。
【００１７】
ロック解除具１８は、ステンレス板材等の鋼板を素材とするプレス成形品からなり、円形の主面壁２５の周縁から等間隔置きに３本の腕２６を放射状に連出し、各腕２６の先端に下向きに折り曲がる脚片２７を一体に形成する。主面壁２５の中央には、リール押え１６の凹部２４内へ入り込んで、リール押え１６を押し上げ操作する部分球面状の突起２８を上向きに膨出形成する。このように、リール押え１６とロック解除具１８とを、部分球面状の凹部２４および突起２８を介して接当させるのは、ロック解除具１８でリール押え１６をばね１７に抗して押し上げ操作するとき、両者１６・１８の中心がずれるのを防ぐためであり、さらにリール２を回転駆動するときの突起２８と凹部２４との摩擦抵抗を極力小さくするためである。凹部２４の球面半径は突起２８の球面半径より大きい。
【００１８】
先に説明したように、ロック解除具１８はその主面壁２５がボス１２の内底面で受け止め支持される。この受け止め状態において、各腕２６がボス１２側のロック歯１９と接当干渉するのを避けるために、図４に示すようにロック歯１９の環状列を周方向の３個所において分断し、この分断部分１９ａで各腕２６を受け止めている。また、各腕２６の先端に設けた脚片２７をリール２の下面に突出させるために、ボス１２の底壁に３個の開口３０を通設してある。
【００１９】
ボス１２の底壁下面に設けた駆動歯１４は、テープドライブの駆動軸Ｄと係合して、回転力を受け継ぐ。この係合動作を利用してロック解除具１８を押し上げ操作するために、駆動歯１４の形成領域に前記開口３０を形成し、脚片２７をリール下面側へ突出させている。開口３０を設けることによって、これと交差する駆動歯１４の強度が低下し、欠損しやすくなるうえ、成形用金型の構造も複雑になる。こうした駆動歯１４の強度低下を避けるために、図５に示すように開口３０の形成位置に対応して３個の欠歯部３１を設けている。欠歯部３１は数個の駆動歯１４をその歯底平面に達する状態で省略して形成する。リールロック時の脚片２７は欠歯部３１内に突出するが、その下端面は駆動歯１４の歯先平面上に位置している。
【００２０】
かかる構成のリールロック機構においては、リール押え１６がガイド突起１５で回転不能に保持され、ばね１７で押し下げられている。さらに、リール押え１６とボス１２の底壁とに設けたロック歯１９・２０が互いに係合している。従って、不使用状態におけるリール２を回動不能にロック保持できる。
【００２１】
使用時には、蓋７を開放してローディングピン４をローディング機構で捕捉する。同時に、図６に示すように駆動軸Ｄをボス１２の底壁下面に押し当てて、その駆動歯をリール２側の駆動歯１４に接当係合させる。この接合動作によって、リール２の下面は下ケース１ｂの底壁から浮き上がる。また、脚片２７が駆動軸Ｄの駆動歯に突き上げられて、開口３０内の上方へ押し込まれる。これにより、ロック解除具１８はリール押え１６をばね１７に抗して押し上げ、それまで係合していたロック歯１９・２０どうしを離脱させて、リールロック状態を解除する。その結果、リール２が回転可能になってテープ３を繰り出し、あるいは巻き込み駆動できる。この後に駆動軸Ｄがリール２から離れると、再びリール２をロック保持できる。
【００２２】
上記の実施例で説明したロック解除具１８は、図７（ａ）の底面図に示すように、その脚片２７を外凸状に丸く湾曲形成し、あるいは図７（ｂ）の底面図に示すように脚片２７の幅方向中途部において山形の外凸状に折り曲げて形成することができる。このように外凸状に折り曲げた脚片２７は、脚片２７の座屈強度や曲げ強度を増強できるので、ロック解除具１８を押し上げ操作するときの脚片２７のたわみ変形を防止し、一対のロック歯１９・２０の離脱を確実に行える。
【００２３】
ロック解除具１８の主面壁２５は、ロック歯１９の外周を囲む状態でリング状に形成できる。この場合の突起２８は、主面壁２５に沿って２ないし３個所に突設する。必要があれば突起２８の上端にボールを回転自在に配置して、リール駆動時のロック解除具１８とリール押え１６との摩擦抵抗を軽減することができる。ロック解除具１８は、耐摩耗性と滑性に優れたポリアセタールやナイロン樹脂などのプスラチック材で成形することができる。脚片２７は３個以上設けることが好ましいが、少なくとも２個あればよい。ガイド突起１５は非円形断面であれば、任意の断面形状に設定できる。脚片２７および開口３０は、駆動歯１４の形成領域より内側に設けてもよく、この場合は吸着板１３に開口３０に対応する通口を設ける。
【００２４】
【発明の効果】
本発明では、リール押え６とボス１２の底壁との間にロック解除具１８を配設し、ロック解除具１８に設けた複数個の脚片２７を押し上げ操作することにより、リール押え１６によるリールロック状態を解除できるようにした。従って、従来のリールロック機構に比べてリール押え１６が傾動するのを防止して、リール押え１６とボス１２の底壁とに設けた一対のロック歯１９・２０の離脱を確実に行える。これにより、リール２がロックされた状態のままテープ３が引き出し操作されるのを防止し、テープ破断等の重大事故の発生を一掃できる。
【００２５】
駆動歯１４の形成領域に欠歯部３１を設け、欠歯部３１に設けた開口３０から脚片２７をリール２の下面側へ突出させるリール機構によれば、リール中心から十分に離れた位置で脚片２７を突き上げ操作することになるので、ロック解除時にロック解除具１８が径方向へ傾くのをさらに確実に防止できる。欠歯部３１を設けることにより、リール２の駆動歯１４を形成するための成形用金型の構造を簡素化し、駆動歯１４の強度低下を解消し、リール駆動時の駆動歯１４の欠損を防止できる。３個の脚片２７を設けたロック解除具１８によれば、ロック解除時のリール押え１６を３点で安定的に支持して押し上げ操作できるので、駆動軸Ｄと各脚片２７との接触面積が小さい場合にも、支障なくロック解除具１８を押し上げ操作して、リール２のロック解除を確実に行える。
【図面の簡単な説明】
【図１】図２におけるＡ−Ａ線断面図である。
【図２】磁気テープカートリッジの内部平面図である。
【図３】リールロック機構の分解斜視図である。
【図４】図１におけるＢ−Ｂ線断面図である。
【図５】図１におけるＣ−Ｃ線矢視図である。
【図６】ロック解除状態での縦断面図である。
【図７】ロック解除具の脚片のそれぞれ異なる別実施例を示す底面図である。
【図８】リールロック機構の比較例を示す縦断面図である。
【符号の説明】
１  ケース本体
２  リール
３  磁気テープ
１２  ボス
１４  駆動歯
１５  ガイド突起
１６  リール押え
１７  ばね
１８  ロック解除具
１９・２０  ロック歯
２５  主面壁
２６  腕
２７  脚片
３０  開口
３１  欠歯部
Ｄ  駆動軸
【図１】
0003809888.tif 000002
【図２】
0003809888.tif 000003
【図３】
0003809888.tif 000004
【図４】
0003809888.tif 000005
【図５】
0003809888.tif 000006
【図６】
0003809888.tif 000007
【図７】
0003809888.tif 000008
【図８】
0003809888.tif 000009